(57)【要約】      （修正有）【課題】本体が木製であり、密閉性が高く、持ち運びによる内容物の汁漏れを防止できる携帯用容器を提供する。【解決手段】携帯用容器１は、木製の本体２と、弾性変形する材料の中蓋３と、木製又は樹脂製の外蓋４で構成される。本体２の側面上部において、中蓋３が嵌め込まれる部分が上縁部２２である。上縁部２２における本体内側の内壁面２２ａには、上縁部２２の肉厚を薄く形成することで、上縁部２２の上面を本体の底面側に凹ませた段部２２ｂが設けられている。中蓋３は、その底部３１が本体２の上面開口部内に嵌め込まれ、上面開口部を塞ぐ形状である。中蓋３の底部３１の周囲には、側板３２が上方に向けて一体に形成され、側板３２の上縁部には、外方に水平方向に突出したフランジ３３が一体に形成されている。フランジ３３は、中蓋３を本体２に嵌め込んだ場合に、フランジ３３の下面が本体２の上縁部２２の上面に重ね合わされて密着する。【選択図】図２
0003199827.tif 000002
【実用新案登録請求の範囲】
【請求項１】
木製の本体と、
前記本体の上縁部の内壁面に嵌まり込み弾性変形する材料の中蓋と、
木製又は樹脂製の外蓋を有する携帯用容器。
【請求項２】
前記中蓋の側板には、外方に突出したフランジが一体に形成され、このフランジが前記本体の上縁部に重ね合わされている請求項１記載の携帯用容器。
【請求項３】
前記中蓋には、前記本体の上縁部よりも前記本体の底面側に入り込んだ壁面を有する凹部が前記中蓋の全面にわたって形成され、前記外蓋の底面には、前記中蓋の凹部内に前記中蓋を弾性変形した状態で嵌め込まれる凸部が形成され、前記本体の内壁面と前記凸部の外壁面とで、前記中蓋の側板が挟持されている請求項１又は請求項２記載の携帯用容器。
【請求項４】
前記外蓋の上縁部には外方に突出したフランジが一体に形成され、このフランジが前記中蓋の上縁部に形成されたフランジの上面に重ね合わされている請求項１から請求項３のいずれかに記載の携帯用容器。
【請求項５】
前記外蓋がその内部に保温又は保冷剤を内蔵した請求項１から請求項４のいずれかに記載の携帯用容器。
【請求項６】
前記中蓋の凹部の底面が前記外蓋の凸部の内面よりも深い位置にあり、前記中蓋の凹部底面と前記外蓋の凸部内面との間に、物品の収容空間が設けられている請求項１から請求項５のいずれかに記載の携帯用容器。
【考案の詳細な説明】
【技術分野】
【０００１】
本考案は、本体が木製であり、密閉性が高く、持ち運びによる内容物の汁漏れを防止することができる携帯用容器に関する。
【背景技術】
【０００２】
従来から、木製の容器は、独特の味わいがあり、広い人気を有している。また、容器の本体が木製であると、断熱効果が高く、保温、保冷効果が高い。そこで、本体と蓋からなる弁当箱などの携帯用容器において、木製の本体又は木製の蓋が利用されている。
【０００３】
しかし、本体と蓋とからなる携帯用容器は、携帯中に蓋が離脱して収納された内容物が散逸してしまうことがあった。そこで、蓋の離脱を防止する方法としては、例えば蓋をゴムバンド等で本体に固定する方法がある。しかし、この方法では、ゴムバンド等を紛失するおそれがあり、紛失した場合には、蓋を固定することができないという問題がある。
【０００４】
また、携帯中における蓋の離脱を防止する方法としては、本体及び蓋に、蓋を固定するロック機構を設ける方法もある。しかし、この方法は、蓋を固定するロック機構が本体から突出しているため、突出部分が邪魔となるという問題がある。
【０００５】
これらの問題点を解消した容器としては、例えば特許文献１に記載されたものがある。この容器は、蓋体に設けられた開閉用突起部により、本体と蓋を一体化している。
【先行技術文献】
【特許文献】
【０００６】
【特許文献１】実用新案登録第３１６３４３１号
【考案の概要】
【考案が解決しようとする課題】
【０００７】
しかしながら、特許文献１記載の考案は、蓋体に設けられた開閉用突起部と本体の開口部の大きさが異なることから、本体と蓋との密閉性が低いため、内容物の汁などが容器外部に漏れ出してしまうという問題がある。
【０００８】
また、特許文献１記載の考案において、本体及び蓋を共に木で構成した場合には、本体及び蓋の部材が共に硬いことから、開閉時に木が割れたり欠けたりするおそれがあり、長期間の使用に耐えられない。
【０００９】
さらに、特許文献１記載の考案において、蓋側直線部分にゴムを付す場合には、ゴムを蓋に固定するための加工が難しい。蓋側直線部分にゴムを付す方法として、蓋の縁に溝を設けてゴムを嵌め込むことが考えられる。この方法は、蓋の縁に溝を細く形成する必要があることから、木が割れたり欠けたりするおそれがあることに加え、使用する度に細い溝にゴムをきちんと嵌め込むのが面倒であるという問題がある。また、蓋側直線部分にゴムを付す方法として、接着剤でゴムを固定する方法も考えられる。この方法は、接着剤が剥がれるおそれがあり、また、ゴムの取り外しができないことから、ゴムと蓋との継ぎ目部分が洗いづらく、不衛生になりやすいという問題がある。
【００１０】
本考案は、以上のような従来技術の課題を解決するために提案されたものであり、その目的は、本体が木製であり、密閉性が高く、持ち運びによる内容物の汁漏れを防止できる携帯用容器を提供することにある。
【課題を解決するための手段】
【００１１】
本考案の携帯用容器は、次のような構成を有することを特徴とする。
（１）木製の本体。
（２）前記本体の上縁部の内壁面に嵌まり込み弾性変形する材料の中蓋。
（３）木製又は樹脂製の外蓋。
【００１２】
本考案の携帯用容器では、次のような構成を有することが好ましい。
（１）前記中蓋の側板には、外方に突出したフランジが一体に形成され、このフランジが前記本体の上縁部に重ね合わされている。
（２）前記中蓋には、前記本体の上縁部よりも前記本体の底面側に入り込んだ壁面を有する凹部が前記中蓋の全面にわたって形成され、前記外蓋の底面には、前記中蓋の凹部内に前記中蓋を弾性変形した状態で嵌め込まれる凸部が形成され、前記本体の内壁面と前記凸部の外壁面とで、前記中蓋の側板が挟持されている。
（３）前記外蓋の上縁部には外方に突出したフランジが一体に形成され、このフランジが前記中蓋の上縁部に形成されたフランジの上面に重ね合わされている。
（４）前記外蓋がその内部に保温又は保冷剤を内蔵している。
（５）前記中蓋の凹部の底面が前記外蓋の凸部の内面よりも深い位置にあり、前記中蓋の凹部底面と前記外蓋の凸部内面との間に、物品の収容空間が設けられている。
【考案の効果】
【００１３】
本考案によれば、本体が木製であり、密閉性が高く、持ち運びによる内容物の汁漏れを防止することができる。
【図面の簡単な説明】
【００１４】
【図１】第１実施形態に係る携帯用容器の全体構成を示す斜視図。
【図２】第１実施形態に係る携帯用容器の断面図。
【図３】第１実施形態に係る携帯用容器の分解断面図。
【図４】第１実施形態に係る中蓋の断面図と底面図。
【図５】第２実施形態に係る携帯用容器の断面図。
【図６】第３実施形態に係る携帯用容器の断面図。
【考案を実施するための形態】
【００１５】
以下、本考案の実施の形態について、図面を参照して詳細に説明する。なお、ここでは、携帯用容器として、弁当箱を例にとって説明する。
【００１６】
［１．第１実施形態］
（１）構成
図１及び図２に示す携帯用容器１は、木製の本体２と、弾性変形する材料の中蓋３と、樹脂製の外蓋４で構成される。
【００１７】
本体２は、図３に示すように、上面開口部２１を有する箱体である。本体２の側面上部において、中蓋３が嵌め込まれる部分が上縁部２２である。上縁部２２における本体内側の内壁面２２ａには、上縁部２２の肉厚を薄く形成することで、上縁部２２の上面を本体の底面側に凹ませた段部２２ｂが設けられている。
【００１８】
本体２は、底板と４枚の側板を組み合わせて構成されている。本体２の底板の角部及び４枚の側板が組み合わされている角部は、丸みを帯びている。
【００１９】
中蓋３の材料は、シリコーン、ポリエチレン、ウレタンなどの樹脂から構成されたエラストマーであって、弾性変形するものである。中蓋３は、その底部３１が本体２の上面開口部２１内に嵌め込まれ、上面開口部２１を塞ぐ形状である。
【００２０】
中蓋３の底部３１の周囲には、側板３２が上方に向けて一体に形成され、側板３２の上縁部には、図４に示すように、外方に水平方向に突出したフランジ３３が一体に形成されている。フランジ３３は、中蓋３を本体２に嵌め込んだ場合に、フランジ３３の下面が本体２の上縁部２２の上面に重ね合わされて密着する。
【００２１】
フランジ３３は、本体２の上縁部２２の上面２２ｃの幅と同じ寸法であり、本体２の表面とフランジ３３の先端部の表面とが同一面になっている。そのため、中蓋３を本体２から外し易いように、図４（ｂ）の底面図に示すように、平面長方形をした中蓋３の２つの短辺の中央部には、フランジ３３の下面の一部を凹ませた指掛け部３４が設けられている。
【００２２】
中蓋３には、本体２の上縁部２２よりも本体２の底面側に入り込んだ側板３２を有する凹部３５が中蓋３の全面にわたって形成されている。
【００２３】
外蓋４は、その内部に空間部４１を有する中空の板状部材であって空間部４１内には、保温又は保冷剤５を内蔵する。例えば、外蓋４を、上面が開口したトレー状の本体部と、その開口部を密封する蓋部から構成し、本体の内部の空間部４１に、内容物が高吸収性ポリマーで、外装フィルムがナイロン及びポリエチレンなどからなる保温又は保冷剤５を挿入した後、蓋部によって本体部の上面を密封する。
【００２４】
外蓋４は、中蓋３と共に、本体２の上面開口部２１を塞ぐ形状である。外蓋４の底面には、図２の断面図及び図３の分解図に示すように、中蓋３の凹部３５内に中蓋３を弾性変形した状態で嵌め込まれる凸部４２が形成されている。すなわち、外蓋４を中蓋３に嵌め込んだ状態において、本体２の内壁面２２ａと凸部４２の外壁面４３とで、中蓋３の側板３２が挟持されている。
【００２５】
外蓋４の上縁部には外方に向かってＬ字形に突出したフランジ４４が一体に形成されている。すなわち、外蓋４を中蓋３に嵌め込んだ状態において、Ｌ字形のフランジ４４の下向きに屈曲した先端部が中蓋３の上縁部に形成されたフランジ３３の上面に重ね合わされている。
【００２６】
（２）作用・効果
本実施形態の携帯用容器は、次のように使用する。
【００２７】
本体２の内部に、食品などの内容物を収納する。中蓋３を、本体２の上面開口部２１に被せ、フランジ３３を上から押すことにより中蓋３を本体２の上縁部２２の内壁面２２ａに嵌め込み、本体２と中蓋３を密着させる。その後、予め保温又は保冷した外蓋４を、中蓋３の凹部３５に嵌め込み、本体２、中蓋３及び外蓋４を密着させる。この場合、中蓋３がエラストマーのような弾力性を有する部材で構成されていることから、本体２の上面開口部２１内に対する中蓋３の嵌め込み作業や、中蓋３の凹部３５に対する外蓋４の凸部４２の嵌め込み作業が円滑に、しかも、十分な密着性を確保しつつ実施できる。
【００２８】
内容物を取り出す場合には、収納時とは逆に、外蓋４、内蓋３の順番で蓋を開けていくが、その際、エラストマー製の中蓋３が弾性変形することから、蓋の取り外しも容易に行うことができる。この際、中蓋３の下面には指掛け部３４が設けられているため、この指掛け部３４に指先を引っ掛けることで、本体２の上縁部２２に嵌め込まれている中蓋３を容易に取り外すことができる。
【００２９】
本実施形態によれば、次のような作用効果が発揮される。
【００３０】
（ａ）エラストマーで成型された中蓋３は、弾性変形により、本体２の内壁面２２ａと中蓋３の側板３２が密着するので、密閉性が高く、持ち運びによる内容物の汁漏れを防止することができる。特に、中蓋３は、弾性変形して本体２の内壁面２２ａに嵌まり込むことから、本体２の上面開口部２１から外れない。
【００３１】
（ｂ）本実施形態では、エラストマー製の中蓋３を使用することで、本体２や外蓋４にパッキンを設ける必要がない。そのため、木製の本体２のように、パッキンを固定するための細かな溝加工などを施すことができない容器においても、十分な密封性を確保できる。
【００３２】
（ｃ）本体２と中蓋３は、本体２の内壁面２２ａと中蓋３の側板３２だけでなく、本体２の上縁部２２の上面２２ｃと中蓋３のフランジ３３の下面との２か所で密着するので、密閉性がより向上する。
【００３３】
（ｄ）本体２の内壁面２２ａと外蓋４の凸部４２の外壁面４３とで、中蓋３の側板３２が挟持されているので、中蓋３が、本体２の内壁面２２ａに向かって加圧されるため、密着性が向上すると共に、外蓋４が中蓋３から外れ難くなり、ゴムバンド等で蓋を留めておく必要がなくなる。
【００３４】
（ｅ）外蓋４のフランジ４４が中蓋３のフランジ３３の上面に重ね合わされているので、中蓋３のフランジ３３が外蓋４のフランジ４４で加圧され、本体２の上縁部２２の上面２２ｃと中蓋３のフランジ３３とが密着し、更に、本体２と中蓋３は、本体２の内壁面２２ａと本体２の上縁部２２の上面の２か所で密着するので、密閉性がより向上する。
【００３５】
（ｆ）木製の本体２は、金属製や樹脂製の場合に比べ、断熱効果が高く、保冷、保温効果に優れている。
【００３６】
（ｇ）中蓋３のフランジ３３は、本体２の上縁部２２の幅と同じ寸法であるため、本体２に中蓋３を被せたときに、フランジ３３の外縁が本体２より突出しないので、携帯時に邪魔にならない。また、中蓋３には指掛け部３４が設けられているので、フランジ３３が本体２の表面から突出していなくても、中蓋３の取り外しは容易である。
【００３７】
（ｈ）外蓋４は、その内部に保温又は保冷剤を内蔵するので、保温又は保冷剤により、内容物である食品を保存又は保冷することができる。
【００３８】
［２．第２実施形態］
第２実施形態は、図５に示すように、外蓋４を木製としたものである。外蓋４は板状で、内部に保温又は保冷剤は入れない構成である。外蓋４の外周には、フランジ４４が形成されている。フランジ４４は、単なる水平な板状であり、中蓋３のフランジ３３の上面に重なり合わされている。
【００３９】
本実施形態においては、外蓋４の内部には保温、保冷剤が収容されてはいないが、外蓋４を木製としたことから、木の持つ断熱性により、容器内部の食品の保温、保冷効果が高いという利点がある。
【００４０】
本実施形態では、外蓋４を木製としても、外蓋４自体には、パッキンを固定するための溝加工などが不要であり、外蓋４を単純な構成としながらも中蓋３により高度の密封性を確保することができる。
【００４１】
木製の本体２と同じ木製の外蓋４とで、共通の素材を使用することから、デザイン性にも優れており、更に木製の本体２と外蓋４との間に挟まれたエラストマー製の中蓋３が容器の全周囲を取り囲む線となって現れるため、デザイン上のアクセントになると共に、中蓋４のとして色の異なるものを複数種類用意することで、使用者が自分の携帯用容器を簡単に識別できる。
【００４２】
［３．第３実施形態］
本実施形態は、図６に示すように、中蓋３の底部３１が外蓋４の凸部４２の底部よりも深い位置にあり、中蓋３の底部３１と外蓋４の凸部４２のとの間に、物品の収容空間６を設けたものである。
【００４３】
本実施形態によれば、中蓋３と外蓋４の間の収納空間６に、箸、調味料、お手拭などの物品を収納することができる。本実施形態は、本体２と外蓋4の距離が遠くなることから、外蓋４に保温剤や保冷剤を内蔵した場合には、第１実施形態の方が熱効率は良いが、他の物品を収納する必要がある場合には、適している。
【００４４】
［４．他の実施形態］
本考案は、前記の実施形態に限定されるものではなく、次のような他の実施形態も包含する。
【００４５】
（１）容器の形状は、長方形に限定されず、正方形、多角形、丸型、楕円形でも良い。
【００４６】
（２）中蓋３を本体２から外し易いように、フランジ３３の一部のみを本体２の側面より突出させても良いし、本体２の上縁部２２を一部凹ませても良い。
【００４７】
（３）図示の実施形態においては、本体２、中蓋３、外蓋４からなる一段の弁当箱を例に挙げたが、本体２、中蓋３、本体２、中蓋３、外蓋４からなる複数段の弁当箱であっても良い。この場合、上に重なる本体２の底部を外蓋４と同様の形状としておくと良い。
【００４８】
（４）保温剤や保冷剤を内蔵しない容器においても、外蓋のフランジを図２に示す構成とすることができる。逆に、保温剤や保冷剤を内蔵した容器においても、図５に示すような水平方向に突出したフランジとすることができる。
【符号の説明】
【００４９】
１…携帯用容器
２…本体
２１…上面開口部
２２…上縁部
２２ａ…内壁面
２２ｂ…段部
２２ｃ・・・上面
３…中蓋
３１…底部
３２…側板
３３…フランジ
３４…指掛け部
３５…凹部
４…外蓋
４１…空間部
４２…凸部
４３…外壁面
４４…フランジ
５…保温剤又は保冷剤
６…収納空間
【図１】
0003199827.tif 000003
【図２】
0003199827.tif 000004
【図３】
0003199827.tif 000005
【図４】
0003199827.tif 000006
【図５】
0003199827.tif 000007
【図６】
0003199827.tif 000008